(57)【要約】【課題】  無線タグの表面に、内部に格納されている内容を目視可能に印刷すると、秘密情報なども目視可能に開示されてしまう。【解決手段】  内部にアンテナ１４並びにこのアンテナ１４に接続されデータを保持するＩＣチップ１３を格納した無線タグ１１において、前記無線タグ１１表面に不可視媒体で印刷されたバーコード表示１５や文字表示１６などからなる表示部１７を備えた無線タグ。【選択図】  図１
2006268697.tif 000002
【特許請求の範囲】
【請求項１】
内部にアンテナ並びにこのアンテナに接続されデータを保持するＩＣチップを格納した無線タグにおいて、前記無線タグ表面に不可視インクによって印刷された表示部を具備したことを特徴とする無線タグ。
【請求項２】
前記表示部は、紫外線照射によって可視状態となるインクを使用して印刷された表示部であることを特徴とする請求項１記載の無線タグ。
【請求項３】
前記表示部は、赤外線照射によって可視状態となるインクを使用して印刷された表示部であることを特徴とする請求項１記載の無線タグ。
【請求項４】
前記表示部に表示される内容は、前記ＩＣチップに保持されるデータの全ての内容ではなく、一部の内容であることを特徴とする請求項１乃至３のいずれか１項記載の無線タグ。
【請求項５】
前記一部の内容は、前記保持されるデータの一部を切り出して構成したデータであることを特徴とする請求項４記載の無線タグ。
【請求項６】
前記一部の内容は、前記保持されるデータを暗号化して構成したデータであることを特徴とする請求項４記載の無線タグ。
【発明の詳細な説明】
【技術分野】
【０００１】
本発明は、内部にＩＣチップ並びにアンテナを格納した無線タグに関する。
【背景技術】
【０００２】
いわゆる無線タグは内部にＩＣチップ並びにこのＩＣチップに接続されたアンテナを有する小型、軽量な素子である。このような無線タグは、ＩＣチップ内に各種データが格納でき、ＩＣチップに接続されたアンテナから受信した電波を電源としてＩＣチップと無線タグの外部との間で通信することを可能とした素子である。
【０００３】
無線タグは広範囲の分野において利用されている。代表的な利用形態としては、流通物品に無線タグを貼付し、この無線タグに対象物品に係わる各種データを格納しておくことによって、非接触で必要データを読み込むことが行われている。
【０００４】
ただし、無線タグに格納されるデータは、ＩＣチップ内の記憶領域に格納されることから、無線タグの表面を見ただけではどのようなデータが格納されているか分からない。このような状態では対象物品と無線タグが離れてしまうと、個別のＩＣタグのみではどの物品用のものは判断できない。そこで、あらためてリーダライタ装置にて無線タグ内に格納されているデータを読み出したうえで、その内容を判断しなければならない。
【０００５】
そこで、無線タグ内部に格納されているデータを、無線タグ表面に番号、文字あるいはバーコードなど目視可能なインクにて印刷など行うことが知られている（例えば特許文献１を参照）。
【特許文献１】特開２０００−１１３０７７号公報
【発明の開示】
【発明が解決しようとする課題】
【０００６】
無線タグの表面に内部に格納されているデータの内容を目視可能なインクなどで印刷表示することにより、無線タグが物品から離れてしまったり、無線タグが損傷してしまい、内部のデータが読取れなくなってしまっても、表面の目視可能な表示部によって対象物品が判読あるいは判断することが可能となる。しかしながら、無線タグを取り付ける対象によっては、無線タグ内部に格納されているデータが個人情報であったり、事業経営上秘密情報に属する情報などの場合がある。このような場合に無線タグ内部のデータを、無線タグ表面に目視可能に可視表示を行ってしまうと、秘密情報の開示になってしまう。
【０００７】
本発明は上述した従来の課題を解決するためになされたもので、無線タグ内に格納されているデータを目視不可能な状態で表示することを可能とした無線タグを提供することを目的とする。
【課題を解決するための手段】
【０００８】
本発明に係わる無線タグは、内部にアンテナ並びにこのアンテナに接続されデータを保持するＩＣチップを格納した無線タグにおいて、前記無線タグ表面に不可視インクによって印刷された表示部を具備したことを特徴とする。
【発明の効果】
【０００９】
無線タグ内に格納されているデータを目視不可能な状態で表示することを可能としたことによって、データの秘密は保持されるようになり、更に、無線タグが損傷し内部のデータが読み取れなくなった場合であっても、その無線タグに格納されていたデータが何のデータあるかを把握することが可能となった。
【発明を実施するための最良の形態】
【００１０】
以下に本発明に係わる実施形態を図１を参照して説明する。図１には長方形の無線タグ１１を示してあるが、この無線タグ１１は収納部材１２の内部にＩＣチップ１３とこのＩＣチップ１３に接続されているアンテナ１４が格納されている。収納部材１２としては、ＩＣチップ１３、アンテナ１４を密封することが可能でかつ電波透過性の材料であればよい。例えば樹脂材料などで作成される。ＩＣチップ１３の内部には、無線タグ１１を取り付ける対象に係わる各種データが格納されており、このデータの格納は図示しないリーダライタを利用して行う。
【００１１】
さて、収納部材１２の表面には、図１に示すようにバーコード表示１５並びに文字表示１６からなる表示部１７が印刷されている。この表示部１７に印刷されているバーコード表示１５、文字表示１６は、いずれも印刷した状態では目視不可能な印刷となっている。すなわち、太陽光、あるいは白色光、蛍光灯など日常利用する光源のもとでは不可視となる媒体を利用して印刷したものである。例えば、印刷箇所に紫外線を照射して初めて目視可能となるインクや、赤外線を照射して初めて目視可能となるインクが不可視媒体として利用できる。
【００１２】
また、表示部１７のバーコード表示１５並びに文字表示１６はいずれもＩＣチップ１３に格納されているデータの全てを不可視表示するのではなく、一部のデータのみを不可視表示するものである。この一部データとは、ＩＣチップ１３の格納データの対象となる例えば物品、すなわち無線タグ１１が取り付けられる対象となる物品に係わる全ての情報の内、係わっている者であれば判読あるいは解読可能であるが、件外の者では判読不可能な情報を表示データとして切り出したデータである。
【００１３】
データの切り出しは、全情報のうち一部データを抽出して取り出すことや、暗号化して取り出すことも含まれる。
【００１４】
以上のように、無線タグ１１の表面、すなわち収納部材１２の表面に不可視表示媒体からなる表示部を形成したことによって、無線タグ１１内部に格納されているデータを表面に表示してもそのままでは目視不可能であって秘密保持に有効である。更に、表面の不可視表示の内容を無線タグ１１の内部に格納されているデータをそのまま表示するのではなく、一部を切り出して不可視表示したり暗号化して不可視表示することにより、一層の秘密保持に有効となる。
【図面の簡単な説明】
【００１５】
【図１】本発明の実施形態を示すシステム構成図。
【符号の説明】
【００１６】
１１…無線タグ、１２…収納部材、１３…ＩＣチップ、１４…アンテナ、１５…バーコード表示、１６…文字表示、１７…表示部。
【図１】
2006268697.tif 000003